(57)【要約】【課題】  従来の貝表面清浄機によっては、貝表面を万遍無く清浄できなかった。【解決手段】  本件出願の貝表面清浄機は、両掃除具の回転軸の一端に互いに接触する回転伝達体を設け、一方の回転伝達体を駆動源により回転させるとその回転が他方の回転伝達体に伝達されて両回転軸及び掻取り具が回転するものである。また、一方又は双方の掃除具の回転軸がその軸方向一端から他端に向けて上下又は横、又は上下及び横に斜めに配置され、斜めに配置された回転軸はユニバーサルジョイントを介して回転伝達体に連結されるものである。また、一方又は双方の回転軸を位置調節具により両回転軸を互いに接近又は離れる方向に移動させて位置調節可能とした。また、互いに接触する回転伝達体が一方の回転が他方の回転に伝達されるタイヤ、ギヤ、輪、リング、円盤、ドラム等の回転体とすることもできる。【選択図】図１
2005318830.tif 000002
【特許請求の範囲】
【請求項１】
上方開口である貝移動通路内の貝を、貝移送体の回転により貝移動通路の入口側から出口側に移送し、移送中の貝の表面の汚れを貝移動通路の両外側方に設けられた掃除具により除去する貝表面清浄機において、前記両掃除具は貝移動通路に沿って配置された回転軸にその軸方向に間隔をあけて複数の掻取り具が取付けられ、掻取り具は回転軸の回転により回転して貝移動通路内の貝の表面に接触して表面を清浄するものであり、両回転軸の一端に互いに接触する回転伝達体が設けられ、一方の回転伝達体を駆動源により回転させるとその回転が他方の回転伝達体に伝達されて両回転軸及び掻取り具が回転して、貝表面の汚れを掻き落として除去するものであることを特徴とする貝表面清浄機。
【請求項２】
上方開口である貝移動通路内の貝を、貝移送体の回転により貝移動通路の入口側から出口側に移送し、移送中の貝の表面の汚れを貝移動通路の両外側方に設けられた掃除具により除去する貝表面清浄機において、前記両掃除具は貝移動通路に沿って配置された回転軸にその軸方向に間隔をあけて複数の掻取り具が取付けられ、掻取り具は回転軸の回転により回転して貝移動通路内の貝の表面に接触して表面を清浄するものであり、両回転軸の一端に回転伝達体が設けられ、一方又は双方の掃除具の回転軸がその軸方向一端から他端に向けて上下又は横、又は上下及び横に斜めに配置され、斜めに配置された回転軸はユニバーサルジョイントを介して回転伝達体に連結され、それら回転伝達体を回転駆動体で回転させると、両回転軸及び夫々に取付けられている掻取り具が回転して、貝表面の汚れを掻き落として除去するものであることを特徴とする貝表面清浄機。
【請求項３】
請求項１又は請求項２記載の貝表面清浄機において、一方又は双方の回転軸は位置調節具により両回転軸を互いに接近又は離れる方向に移動させて位置調節可能とし、その調節により両回転軸の回転伝達体同士の接触の強弱を調節可能であることを特徴とする貝表面清浄機。
【請求項４】
請求項１乃至請求項３のいずれかに記載の貝表面清浄機において、互いに接触する回転伝達体の一方又は双方が、互いに回転力を伝達可能なタイヤ、ギヤ、輪、リング、円盤、ドラム等の回転体であることを特徴とする貝表面清浄機。
【発明の詳細な説明】
【技術分野】
【０００１】
本発明は帆立貝等の貝類の殻の表面に付着している藻や海中のごみなどの付着物を、掻き落として除去する貝表面清浄機に関するものである。
【背景技術】
【０００２】
従来の貝表面清浄機は、側面Ｖ字状の貝移動通路内の貝を、貝移送体の回転により貝移動通路の入口側から出口側に移送し、その移送中に、貝移動通路の両外側方に配置された掃除具を回転させて、掃除具の爪を貝表面に接触させて貝表面に付着している付着物を掻き落すようにしたものである（特許文献１参照）。
【０００３】
前記掃除具は、図１８に示すように、二本の回転軸Ｂに所定間隔で取付けられたプーリーＤ間に、無端ベルトＥに爪Ｆを備えた回転帯Ｃを張設したものであり、回転帯Ｃを回転させて爪Ｆを回転させ、貝移動通路の開口部から内側に突出する爪Ｆを、貝移動通路内を移動する貝の表面に接触させて、表面付着物を掻き落すようにしてある。この場合、両掃除具の回転軸Ｂに取付けた伝達プーリー（図示されていない）と、モータの駆動プーリー（図示されていない）と、補助プーリー（図示されていない）とに一本のベルトが張設され、モータが回転するとベルトを介して伝達プーリーに回転力が伝達され、両掃除具が共に貝移動通路方向に回転するようにしてある（特許文献１参照）。
【０００４】
【特許文献１】実公昭５２−４３６７６号公報。
【発明の開示】
【発明が解決しようとする課題】
【０００５】
従来の貝表面清浄機には次のような課題があった。
（１）図１８に示すような、無端ベルトＥに爪Ｆを備えた回転帯Ｃを張設した掃除具Ａによっては、爪Ｆが帆立貝の薄くなっている外周寄りの部分に十分に接触せず、貝殻の表面全般を万遍無く清浄する（付着物を掻き落とす）ことが困難であり、付着物が残ることが多々あった。
（２）回転軸が貝移動通路の入口側から出口側まで水平であるため、貝移動通路の開口部から内部に突出する爪の位置（高さ）がどの開口部においても同じとなり、貝表面への爪の接触位置が常に一定であり、貝表面の同じ箇所（主として最も膨れている中心部とその周囲）しか清浄されず、貝表面の全体、特に、薄い外周部をきれいに清浄することが困難であった。
（３）無端ベルトＥは切れ易く、しかも無端ベルトＥが切れると交換に手間が掛かり、作業効率が悪く、コスト高にもなる。
（４）図１８に示す貝表面清浄機は、一つの掃除具Ａに軸Ｂが二本必要であり、更に、プーリーＤが二つ必要である。その上、掃除具Ａが左右二つで一組であるため軸Ｂが４本必要であり、各掃除具Ａの回転帯Ｃが１０列ある場合には、プーリーＤは左右で４０個、ベルトＥは左右で２０本必要となる。このため部品点数が多くなり、貝表面清浄機全体が重くなる。また、部品点数が多いため故障しがちであり、その場合は部品交換が必要であり、部品交換に手間が掛かる上、その間、貝表面清浄機の動きを停止させなければならず、作業効率が悪い。また、交換用部品も多くなるため、コスト高となる。
（５）プーリーが錆び易い金属製の場合、錆びによってベルトが擦り減って切れ易くなる。
【課題を解決するための手段】
【０００６】
本発明は、貝の表面全般（膨れている中心部から薄い外周まで）を万遍無く清浄することができ、耐久性に優れ、作業効率が良く、低コストな貝表面洗浄機を提供するものである。
【０００７】
本件出願の貝表面清浄機は、上方開口で下方細りである貝移動通路内の貝を貝移送体の回転により貝移動通路の入口側から出口側に移送し、その移送中に、貝移動通路の両外側方に設けられた掃除具により貝移動通路内の貝の表面の汚れを除去するものである。両掃除具は、間隔をあけて複数の掻取り具を取付けた回転軸を貝移動通路の外側にそれに沿って配置し、両回転軸の一端に互いに接触する回転伝達体を設け、一方の回転伝達体を駆動源により回転させてその回転力を他方の回転伝達体に伝達させると両回転軸及び掻取り具が回転し、掻取り具が貝移動通路内の貝の表面の汚れを掻き取って清浄できるようにしてある。一方又は双方の掃除具の回転軸は軸方向一端から他端に向けて上下に斜めに配置するか、横に斜めに配置するか、上下及び横に斜めに配置し、斜めに配置された回転軸をユニバーサルジョイントを介して回転伝達体に連結して、その回転伝達体をモータ等の駆動源で回転させると、ユニバーサルジョイントを介して連結された回転軸が回転し、その軸の回転伝達体が回転し、それが他方の回転軸の回転伝達体に伝達されて、その回転軸も回転子、両回転軸の掻取り具が回転して貝表面の汚れを掻き落とすようにしてある。一方又は双方の回転軸は互いに接近又は離れる方向に位置調節具により移動可能として、両回転軸の回転伝達体同士の接触の強弱を調節することもできるようにしてある。両回転軸の回転伝達体は相互に接触して、一方の回転伝達体の回転が他方の回転に伝達されるタイヤ、ギヤ、輪、リング、円盤、ドラム等の回転体としてある。
【発明の効果】
【０００８】
本件出願の貝表面清浄機は次のような効果がある。
（１）両掃除具の回転軸の一端に互いに接触する回転伝達体が設けられ、一方の回転伝達体を駆動源により回転させるとその回転が他方の回転軸の回転伝達体に伝達されて両回転軸及び掻取り具が回転して、貝表面の汚れを掻き落として除去するようにしてあるため、ベルトやプーリーが不要となり、構成が簡潔になる。
（２）部品点数が少ないので、部品交換の手間が減少し、作業性が向上し、部品の故障が厳守する分だけコスト低減になる。
（３）回転伝達体同士が互いに接触するため、両掃除具の回転軸を傾斜させても回転力が確実に伝達され、回転軸を傾けその軸方向又は側方に傾斜させて、掃除具が貝表面全般に万遍無く接触させて清浄することができる。
【０００９】
本件出願の貝表面清浄機は次のような効果もある。
両掃除具の回転軸の一端に回転伝達体を設け、一方又は双方の掃除具の回転軸をその軸方向一端から他端に向けて上下又は横、又は上下及び横に斜めに配置し、斜めに配置した回転軸をユニバーサルジョイントを介して回転伝達体に連結してあるので、回転駆動体の回転力で斜めに配置された回転軸を確実に回転させることができ、掃除具の掻取り具を貝移動通路内の貝の表面全般（下から上まで）に接触させて、貝を強く挟着して、貝表面を万遍無く清浄することができる。
【００１０】
本件出願の貝表面清浄機は前記各効果のほかに次のような効果もある。
（１）一方又は双方の回転軸を、位置調節具により両回転軸を互いに接近又は離れる方向に移動させて位置調節可能とし、その調節により両回転軸の回転伝達体同士の接触の強弱を調節可能としたので、両回転軸を接近させて回転伝達体同士の接触を強くして、回転軸への回転力の伝達が、より一層、確実になる。
【００１１】
本件出願の請求項４記載の貝表面清浄機は前記各効果の他に次のような効果がある。
（１）互いに接触する回転伝達体の一方又は双方が、他方の回転軸に回転力を伝達させるタイヤ、ギヤ、輪、リング、円盤、ドラム等の回転体であるので、回転軸を斜めに配置しても、回転体同士を確実に接触させることができ、回転軸の回転が確実になる。
（２）ベルトに比して損傷しにくいため、部品交換の手間が掛からず、作業性が良く、コスト低減にも資する。
【発明を実施するための最良の形態】
【００１２】
（実施形態１）
本発明の貝表面清浄機の実施形態を図面に基づいて説明する。本実施形態の貝表面清浄機は、図１に示すように、四角い枠形の架台１のコーナーに支持脚２を四本備え、該架台１の内側に貝移動通路３を設け、貝移動通路３の上部に貝移送体４を設け、貝移動通路３の左右両側に掃除具５ａ、５ｂを設けてある。
【００１３】
この実施例では図５（ａ）に示すように、多数本の棒材７を左列と右列に向かい合わせて互い違いに並べ、棒材７の上端から下端に向けて内側に傾斜させて、図４のように左右の棒材７間に側面形状Ｖ字状の空間を形成し、この空間を貝移動通路３としてある。左右列の夫々の棒材７は上端部を架台１に溶接とか他の手段で固定し、下端同士は互いに接触しないように隙間をあけて交差させて底面７７（図４）を形成し、底面７７の上を貝Sが脱落することなく移動できるようにすると共に、貝Sの表面から掻き落とされたゴミが棒材７の隙間から落下して貝移動通路３内に溜まらないようにしてある。また、図５（ａ）のように、左列と右列の夫々の棒材７をその配列方向に間隔をあけて配置して、隣接する棒材７の間の空間を開口部８としてある。開口部８は掃除具５（図４）の爪９の幅よりも広くして、爪９がその開口部８から貝移動通路３内に突出できるようにしてある。左右列の棒材７の上端は離れたまま（開口したまま）にして、貝移動通路３を上面開口にしてある。
【００１４】
図２に示すように貝移動通路３の入口５０側には貝を投入するためのホッパー５５が設けられている。ホッパー５５は上方広がりであり、下方が細くなって、投入された貝が自重落下して貝移動通路３内に落ち込むことができるようにしてある。
【００１５】
前記貝移送体４は図１〜図４に示すように、無端のベルトコンベア、チェーン等の回転走行体１１の外周面に、その回転方向に間隔をあけて送り片１０を取付けてある。送り片１０には例えば硬質製のゴム板や樹脂板等が適し、その形状は貝移動通路３のＶ字形状に合わせて先端部の幅を細くして、先端部が貝移動通路３の上方開口部６（図４参照）から貝移動通路３内に入り込むようにしてある。送り片１０は回転走行体１１を図２のモータ２３により同図の矢印Ｂ方向に回転させると回転して、貝移動通路３内の貝を貝移動通路３の出口６０側に送り出す。貝は回転しながら貝移動通路３内を移送される。送り片１０は先端が図１に示すように回転方向後方に傾斜するように取付けて、貝移動通路３内の貝を送り出し易くしてある。
【００１６】
前記掃除具５ａ、５ｂは、図１、図４に示すように、一本の回転軸１２に多数の掻取り具８０が回転軸１２の軸方向に間隔をあけて取付られている。掻取り具８０は図６に示すように、円盤状の取付盤１３の外周面に爪９を取付けたものである。取付盤１３はゴム、樹脂等の弾性を有する素材により円盤状に一体成形され、その中心に軸取り付け孔１４が開口され、外周寄りに開口部１５を一定間隔で開口して、開口部１５の間の連結部１６に弾性を付与し、各連結部１６の外側にリング状の外輪部１７が形成されている。この外輪部１７の外周面にＬ字状の金属製の爪９が取付けられている。
【００１７】
掻取り具８０は図６に示すものには限られず、図７に示すものとか、他の形状とすることができる。図７に示す掻取り具８０の取付盤１３は、ゴム、樹脂等の弾性を有する素材により円盤状に成形され、その外周縁寄りに多数枚の羽根３３が放射状に突設され、中心部に軸取り付け孔１４が開口されたものであり、夫々の羽根３３の側面に金属製の爪９がボルトとナット等の固定具で取付けられている。爪９の取付けには接着剤とか他の手段を使用することも出来る。爪９は図７の掻取り具８０の回転方向（矢印方向）にく字状に曲げて、回転時に貝表面に接触し易くすると共に貝表面の汚れを掻き取り易くしてある。
【００１８】
掻取り具８０は、図６、図７に示すものには限られず、図８に示すものとすることもできる。図８に示す掻取り具８０は円盤状の取付盤１３の外周面に多数本の金属製のコイルバネ８１を均一間隔で取付け、各コイルバネ８１の先端部にチップ状の掻取り片８２を取付けたものである。取付盤１３は金属製、樹脂製、ゴム製等の任意の部材を円盤状に成形したものであり、中心に軸取り付け孔１４が開口されている。コイルバネ８１には密巻きして弾性を強くしたものを用いるのが掻取りの面から望ましいが、任意のコイルバネを用いることができる。掻取り片８２はチップ状には限らず、板状、突起状、爪状といった各種形状、構造のものを用いることができる。
【００１９】
図６〜図８の掻取り具８０は図１のように回転軸１２に一定間隔をあけて多数枚並べて取付けてある。この場合、隣り合う掻取り具８０の間に図９のスペーサ１８を介在させて掻取り具８０間に一定間隔を設けてある。スペーサ１８は図９（ａ）に示すように回転軸１２を挿通させる軸受１９とそれよりも径の大きな円盤２０とが硬質樹脂で一体成型されている。このスペーサ１８は図９（ｂ）のように掻取り具８０の軸取り付け孔１４に軸受１９を差込み、軸取り付け孔１４から突出した軸受１９の先端部を隣のスペーサ１８の円盤２０の中心穴に差し込んで２枚のスペーサ１８同士を連結すると共に掻取り具８０を２枚のスペーサ１８の円盤２０間に挟み、この繰り返しにより必要枚数の掻取り具８０を同軸に連結し、連結されたスペーサ１８の軸受１９に回転軸１２を挿通し、図９（ｃ）に示すように、軸取り付け孔１４の内径の一部を矩形に切り欠いたキー溝４５と、回転軸１２の外周の一部を矩形に切り欠いたキー溝４６とを組みあわせて作った長方形のキー孔４７に、棒状のスピル（キー）４８を挿通してスペーサ１８と回転軸１２とを互いに固定する。また、多数個連結したスペーサ１８のうち両端のスペーサ１８の外側において、回転軸１２にボルトを差し込んでナットで締め付けて、スペーサ１８及び掻取り具８０が回転軸１２から抜けたり、位置ずれしたりしないようにしてある。
【００２０】
前記のように回転軸１２に多数の掻取り具８０を取り付けた掃除具５ａ、５ｂは、図４のように、貝移動通路３の左右両外側に貝移動通路３に沿って配置し、しかも、両掃除具５ａ、５ｂの回転軸１２の間隔を入口５０側から出口６０側まで等間隔とし、夫々の掃除具５ａ、５ｂの爪９の先端部が貝移動通路３の開口部８から貝移動通路３内に突出するようにしてある。また、２本の掃除具５ａ、５ｂのうち１本は図１、図５（ｂ）に示すように貝移動通路３の入口５０側から出口６０側に向けて下り傾斜に配置され、他の１本は貝移動通路３の入口５０側から出口６０側に向けて上り傾斜に配置されている。このように傾斜させて配置することにより、一方の掃除具は入口５０側が貝の上部に、出口６０側が貝の下部に接触し、他方の掃除具は入口５０側で貝の下部に、出口６０側で貝の上部に接触して、掻取り具８０の爪９が貝の表面全般（膨出している中心部から厚さの薄い外周部まで）に接触して、表面全般の汚れを掻き落とすことができるようにしてある。
【００２１】
二本の掃除具５ａ、５ｂは上下同方向に傾斜させることもできる。また、傾斜させずに水平に配置することもできる。また、前記二本の掃除具５ａ、５ｂ同士の間隔は入口５０側を広く、出口６０側を狭くしたり、これとは逆に入口５０側を狭く、出口６０側を広くしたりすることもできる。
【００２２】
掃除具５ａ、５ｂの夫々の回転軸１２の一方の端部には図１に示すように、回転伝達体２１ａ、２１ｂが取付けられている。回転伝達体２１としては、内部に空気の入った中空のタイヤとか、中実の棒タイヤといった各種構造のタイヤが使用されている。両タイヤ同士はその外周面同士で接触して十分に摩擦して、一方のタイヤの回転が他方のタイヤに伝達されるようにてある。
【００２３】
図１に示すように回転軸１２の回転伝達体２１ｂが取付けられた端部とは反対側の端部には、ユニバーサルジョイント２２が取付けられ、このユニバーサルジョイント２２を介して、傾斜している回転軸１２と、架台１に水平に取り付けられている伝達軸２４とが回転自在に連結されている。伝達軸２４には図１、図３に示すように受けプーリー２５が取付けられており、その受けプーリー２５と、駆動源（モータ）２８の駆動プーリー２６とにベルト２７が張設され（図３参照）、モータ２８の回転が駆動プーリー２６―受けプーリー２５―伝達軸２４―回転軸１２と伝達されて回転軸１２が回転するようにしてある。モータ２８にはモータに代えてエンジン等の他の駆動源を用いることもできる。
【００２４】
図１０（ａ）に示すように、回転軸１２の端部及び伝達軸２４は、軸受具３５によって、支持脚２間に備えられた枠体３６に回転可能に固定されている。同図に示すように、軸受具３５は、枠体３６上に開口された長孔３７にボルト３８とナット３９とによって固定されている。軸受具３５の側方には、位置調節具としてのジャッキボルト４０が備えられている。前記ジャッキボルト４０は、そのボルト長さを調節することによって、突出したボルトが軸受具３５を押す強さを調節でき、回転軸１２同士を互いに接近又は離れる方向に移動させて位置調節することができるようにしてある。これにより、ジャッキボルト４０によって、軸受具３５を両回転軸１２が互いに接近する方向に押して、前記回転伝達体２１ａ、ｂの接触を強くすれば、接触面積を広くすることができ、一方の回転伝達体２１ｂの回転が確実に他方の回転伝達体２１ａに伝達されるようになる。また、ジャッキボルト４０によって、掃除具５ａ、５ｂ間の距離も調節することができる。
【００２５】
また、モータ２８は、架台１上に開口された長孔にボルトとナットとによって固定されており、図１０（ｂ）に示すように、モータ２８の両側方には、前記と同様の、位置調節具としてのジャッキボルト４１が一つずつ設けられ、モータ２８を両側から押せるようにしている。モータ２８の前側方に位置したジャッキボルト４１はモータ２８の前方を架台１の外側方向に押すことができ、前記ベルト２７のテンションを調節することができる。他方の、モータ２８の後側方に位置したジャッキボルト４１はモータ２８の後方を架台１の内側方向に押すことができ、前記モータ２８の前側方のジャッキボルト４１の押しによって位置ずれしたモータ２８の芯２９を、前記伝達軸２４と平行になるように調節することができるようにしてある。
【００２６】
モータ２８が回転すると、上記したようにベルト２７を介して、モータ２８の回転が駆動プーリー２６―受けプーリー２５―伝達軸２４―回転軸１２と伝達されて回転軸１２が回転し、掃除具５ｂが回転する。掃除具５ｂが回転すると、図４及び図１１に示すように回転伝達体２１ｂが回転し、回転伝達体２１ｂと接触している掃除具５ａ側の回転伝達体２１ａも同じ方向（共に貝移動通路に対して下向き方向）に回転する。回転伝達体２１ａの回転にあわせて、掃除具５ａの回転軸１２も回転し、掃除具５ａも回転する。本発明の貝表面清浄機においては、モータ２８を回転させると、掃除具５ａ、５ｂは、ともに貝移動通路３に対して下向き方向に回転し、貝移動通路３内の貝に引き下げ方向（貝移動通路３の底方向）の力が働き、貝が貝移動通路３内で安定させて付着物を掻き落とすことができる。
【００２７】
前記モータ２８に取り付けられた駆動プーリー２６と、掃除具の受けプーリー２５と、ベルト２７は、スプロケット及びチェーンで置き換えることも可能である。
【００２８】
また、上記においてはモータ２８によって直接回転させられるのは掃除具５ｂ一本だけであるが、掃除具５ａ側の回転軸１２にもプーリーを備えて、ベルトを掛けて回転軸１２を双方ともモータ２８によって回転させるようにしてもよい。
【００２９】
本発明の掃除具５ａ、５ｂを回転させる機構は、上記のものには限られず、図１２に示す機構とすることもできる。図１２（ａ）に示す掃除具５ａ、５ｂの夫々の回転軸１２の入口５０側の端部には、回転伝達体２１ａ、２１ｂとして、回転伝達用のプーリーが夫々取付けられている。同図に示すように、前記プーリーからなる回転伝達体２１ａ、２１ｂと駆動プーリー２６と、ガイドプーリー７０には、伝達ベルト７１が掛けられている。伝達ベルト７１には、図１２（ｂ）に示すような、断面が両Ｖ字のベルト等、耐久性の高い形状のものを用いることが望ましい。また、モータ２８は、図１２（ａ）に示すように、入口５０側付近に備えられている。従って、モータ２８を作動させて駆動プーリー２６を回転させると（図１２（ａ）矢印ａ方向）、回転伝達体２１ａ、２１ｂが共に貝移動通路３に対して下向き方向（図１２（ａ）矢印ｂ方向）に回転し、二本の掃除具５ａ、５ｂを回転させて（図１２（ａ）矢印ｃ方向）、貝の表面を清浄することができるようにしてある。
【００３０】
また、図１２（ａ）に示す機構は、二本の掃除具５ａ、５ｂの回転軸１２の入口５０側の端部にユニバーサルジョイント２２が夫々備えられ、掃除具５ａ、５ｂの回転軸１２を、入口５０側から出口６０側に向けて上下又は横、又は上下及び横に斜めに配置しても、モータ２８の回転力を確実に回転軸１２に伝達することができるようにしてある。
【００３１】
また、本発明の掃除具５ａ、５ｂを回転させる機構は、図１３に示す機構にすることもできる。図１３に示す機構は、前記図１２に示すものと基本的構成は共通するが、モータ２８は、出口６０側付近に備えられ、駆動プーリー２６は、図１３に示すように、駆動軸７２によってモータ２８の回転によって回転する伝達プーリー７３と接続されている点で異なる。
【００３２】
さらに、本発明の、掃除具５ａ、５ｂを回転させる機構は、上記の各機構には限られず、図１４に示す機構にすることもできる。図１４に示す掃除具５ａ、５ｂの夫々の回転軸１２の入口５０側の端部には、回転伝達体２１ａ、２１ｂとして、前記図１に示す機構と同様に、内部に空気の入った中空のタイヤとか、中実の棒タイヤといった各種構造のタイヤが使用されている。両タイヤ同士は、その外周面同士で接触して十分に摩擦して、一方のタイヤの回転が他方のタイヤに伝達されるようにしてある。図１４に示すように、モータ２８は入口５０側付近に備えられ、モータ２８に取り付けられた駆動タイヤ７４が、前記回転伝達体２１ｂに、その外周面同士を接触させて備えられている。従って、モータ２８を作動させて駆動タイヤ７４を回転させると（図１４矢印ａ方向）、回転伝達体２１ａ、２１ｂが共に貝移動通路３に対して下向き方向（図１４矢印ｂ方向）に回転し、二本の掃除具５ａ、５ｂを回転させて（図１４矢印ｃ方向）、貝の表面を清浄することができるようにしてある。
【００３３】
また、図１４に示す機構は、同図に示すように、二本の掃除具５ａ、５ｂの回転軸１２に、ユニバーサルジョイント２２は備えられていない点で前記図１に示す機構とは異なる。回転伝達体２１ａ、２１ｂの接触箇所を変化させることによって、掃除具５ａ、５ｂの回転軸１２を、入口５０側から出口６０側に向けて上下に斜めに、又は横に斜めに、又は上下及び横に斜めに配置しても、モータ２８の回転力を確実に回転軸１２に伝達することができるようにしてある。もっとも、図１４に示す機構にも、ユニバーサルジョイント２２を備えることも可能である。
【００３４】
また、本発明の貝表面清浄機の、掃除具５ａ、５ｂを回転させる機構は、図１５に示す機構にすることもできる。図１５に示す機構は、前記図１４に示すものと基本的構成は共通するが、駆動タイヤ７４は、図１５に示すように、駆動軸７２によってモータ２８の回転によって回転する伝達プーリー７３と接続されている点で異なる。
【００３５】
（使用例）
本実施形態の貝殻表面清浄機を使用するには、以下のようにする。
１．図２に示すモータ２３を回転させて貝移送体４の回転走行体１１を回転させる。同時に、図２に示すモータ２８を回転させて掃除具５ｂの回転軸１２を回転させて、回転伝達体２１ｂ及び２１ａを介して掃除具５ａの回転軸１２も回転させて、掃除具５ａ、５ｂを回転させる。
２．貝移動通路３の入口５０側のホッパー５５に帆立貝などの貝Ｓを手作業で投入する。
３．ホッパー５５内の貝Ｓは回転する貝移送体４の送り片１０に引かれて貝移動通路３内を搬送される。
４．貝移動通路３内の縦向きの貝Ｓは貝移送体４の送り片１０により押されて回転しながら、貝移動通路３の入口５０側から出口６０側に移動される。
５．貝移動通路３内の縦向きの貝Ｓが移動する間に、貝移動通路３の左右両外側の掃除具５ａ、５ｂの爪９が貝移動通路３の開口部８から貝移動通路３内に突出して、貝表面の付着物が掻き落とされる。この場合、一方の掃除具５ｂの回転軸１２が入口側から出口側に下り傾斜に、他方の掃除具５ａの回転軸１２が入口側から出口側に上り傾斜になっているため、掃除具５ａ、５ｂの爪９が貝表面の下から上まで接触し、更に、貝Ｓが回転しながら移動されるため、掃除具５ａ、５ｂの爪９が貝表面全般に接触し、貝表面全般が清浄される。
６．貝移動通路３内で付着物が掻き落とされた貝Ｓは送り片１０により押されて貝移動通路３内の出口６０から排出され、出口６０の下方に配置してある容器内に落下し、回収される。
７．前記１〜６の作業により、ホッパー５５に投入される貝Ｓが次から次へと清浄される。
【００３６】
（実施形態２）
本発明の貝表面清浄機の実施形態の他の例について説明する。本発明の貝表面清浄機についても、その基本的な構成態様は前記前記実施形態１の貝表面清浄機と共通するが、二本の掃除具５ａ、５ｂに備えられる回転伝達体において実施形態１とは異なる。前記実施形態１では、回転伝達体２１ａ、２１ｂとして、タイヤを夫々用いたが、本実施形態では、回転伝達体２１ａ、２１ｂには、図１６（ａ）に示すように中実のゴム製の外周が円型のドラムを夫々用いる点で異なる。円型ドラムはゴム製には限られず、任意の素材のものを用いることができるが、摩擦力が強く、弾力性のある素材を用いることが望ましい。
【００３７】
（実施形態３）
また、掃除具５ａ、５ｂに備えられる回転伝達体２１ａ、２１ｂとしては、上記の各実施形態に示すものの他に、図１６（ｂ）に示すように、ギアを夫々用いることもできる。用いるギアの形状は、回転軸同士の傾き等に応じて、螺子歯車、傘歯車等任意の形状のギアを用いることができる。
【００３８】
（実施形態４）
また、掃除具５ａ、５ｂに備えられる回転伝達体２１ａ、２１ｂとしては、上記の各実施形態に示すものの他に、図１６（ｃ）に示すように、中実の円型ドラム（図中２１ａ）と、Ｕ字型の溝を形成したゴム製のＵ字型ドラム（図中２１ｂ）とを用いることもできる。一方の回転軸１２には円型ドラムを備え、他方の回転軸１２にはＵ字型ドラムを備え、Ｕ字型ドラムのＵ字型の溝に円型ドラムの外周を当て嵌めてある。同図に示すように、円型ドラム及びＵ字型ドラムは、円型ドラムを種々の角度からＵ字型の溝に当て嵌め可能なものである。また、本実施形態の円型ドラムは、中実のものに限らず、中に空気を入れたタイヤを用いてもよい。また、Ｕ字型ドラムは、Ｕ字型の溝が形成された形状のものには限られず、溝の形成されていない平らな形状のものであってもよい。また、Ｕ字型ドラムも、ゴム製に限らず、任意の素材のものを用いることができるが、摩擦力が強く、弾力性のある素材を用いることが望ましい。
【００３９】
（実施形態５）
また、掃除具５ａ、５ｂに備えられる回転伝達体２１ａ、２１ｂとしては、上記の各実施形態に示すものの他に、図１６（ｄ）に示すように、一方を中実の円型ドラム（図中２１ａ）とし、他方を二枚の反った円盤状の板を背合わせにして組み合わせたものとし、反った板（図中２１ｂ）と板（図中２１ｂ）の間の空間に円型ドラムの外周を当て嵌めたものとすることもできる。前記板には、金属板の他、樹脂板等、任意の素材のものを用いることができるが、高い弾力性を持つものが望ましい。
【００４０】
（実施形態６）
また、掃除具５ａ、５ｂに備えられる回転伝達体２１ａ、２１ｂとしては、上記の各実施形態に示すものの他に、図１６（ｅ）に示すように、一方を中実の円型ドラム（図中２１ａ）とし、他方を一枚の反った円盤状の板（図中２１ｂ）とし、反った板に円型ドラムの外周を押し当てたものとすることもできる。前記板には、金属板の他、樹脂板等、任意の素材のものを用いることができるが、高い弾力性を持つものが望ましい。
【００４１】
（実施形態７）
また、掃除具５ａ、５ｂに備えられる回転伝達体２１ａ、２１ｂとしては、上記の各実施形態に示すものの他に、図１６（ｆ）に示すように、一方を中実の円型ドラム（図中２１ａ）とし、他方を、円柱型に形成された中実の円柱型ドラム（図中２１ｂ）とし、円柱型ドラムの外周に円型ドラムの外周を押し当てたものとすることもできる。前記円型ドラム及び円柱型ドラムは、中実のものに限らず、中空のものを用いることもできる。前記円柱型ドラムは、金属製、樹脂製等、任意の素材製とすることができるが、摩擦力が強く、弾力性のある素材を用いることが望ましい。円型ドラムと円柱型ドラムの一方を金属製、他方を樹脂製とすることもできる。
【００４２】
（実施形態８）
また、掃除具５ａ、５ｂに備えられる回転伝達体２１ａ、２１ｂとしては、上記の各実施形態に示すものの他に、図１６（ｇ）に示すように、一方を中実の円型ドラム（図中２１ａ）とし、他方を、円台錐型に形成された中実の円台錐型ドラム（図中２１ｂ）とし、円台錐型ドラムの外周の斜面部分に円型ドラムの外周を押し当てたものとすることもできる。円台錐型ドラムの外周の傾斜方向は、図に示す方向と逆にすることもできる。前記円型ドラム及び台円型ドラムは、中実のものに限らず、中空のものを用いることもできる。前記円台錐型ドラムは、金属製、樹脂製等、任意の素材製とすることができるが、摩擦力が強く、弾力性のある素材を用いることが望ましい。円型ドラムと円台錐型ドラムの一方を金属製、他方を樹脂製とすることもできる。
【００４３】
（実施形態９）
本発明の貝表面清浄機の実施形態の他の例について説明する。本発明の貝表面清浄機についても、その基本的な構成態様は前記各実施形態の貝表面清浄機と共通するが、掃除具の構成において前記各実施形態とは異なる。本実施形態では、図１７に示すように、掃除具５ａ、５ｂは、夫々回転軸１２を上下に配して二本備え、各回転軸にはプーリー６６を所定の間隔で複数個取り付け、各プーリー６６にベルト６７を掛けて爪６８を備えて回転帯６９が複数列形成されたものである。
【００４４】
本実施形態の掃除具についても、前記各実施形態同様に、回転軸１２のうちの一本の一端にプーリー２５が備えられて、前記プーリー２５とモータ２８の駆動プーリー２６とにはベルト２７が掛けられている。また、前記各実施形態同様にユニバーサルジョイント２２も備えられている。掃除具５ａ、５ｂの夫々の回転軸１２の他方の端部には、回転伝達体２１ａ、２１ｂとして、回転伝達体２１としては、内部に空気の入った中空のタイヤとか、中実の棒タイヤといった各種構造のタイヤが使用されている。両タイヤ同士はその外周面同士で接触して十分に摩擦して、一方のタイヤの回転が他方のタイヤに伝達されるようにてある。
【００４５】
本実施形態の掃除具についても、図１６（ａ）〜（ｇ）に示すような、前記各実施形態に記載の各種回転伝達体を用いることができる。また、四本の掃除具の回転軸も、２本の掃除具５ａ、５ｂのうち１本は貝移動通路３の入口５０側から出口６０側に向けて下り傾斜に、他の１本は入口５０側から出口６０側に向けて上り傾斜とする配置には限られず、二本の掃除具５ａ、５ｂを同じ方向に傾斜させることもできる。また、二本の掃除具５ａ、５ｂを傾斜させないで水平にして備えることもできる。また、前記二本の掃除具５ａ、５ｂ同士の間隔は、上記のように等間隔には限られず、入口５０側を広く、出口６０側を狭くすることもできる。また、入口５０側を狭く、出口６０側を広くすることも可能である。
【００４６】
（その他の実施形態）
掃除具に備えられる回転伝達体は、前記各実施形態に記載のものには限られず、互いに接触可能であって、互いに回転力を伝達可能であれば、タイヤ、ギヤ、輪、リング、円盤、ドラム等、任意の形状とすることができる。
【産業上の利用可能性】
【００４７】
本発明の貝表面清浄機は、貝のみならず、他の円盤状の工業製品等の研磨にも応用することができる。
【図面の簡単な説明】
【００４８】
【図１】本発明の貝表面清浄機の実施形態の一例を示す正面図。
【図２】図１に示す貝表面清浄機を示す平面図。
【図３】図１に示す貝表面清浄機を示す左側面図。
【図４】図１に示す貝表面清浄機を示す断面図。
【図５】（ａ）は、図１に示す貝表面清浄機の貝移動通路の様子を示す平面図。（ｂ）は、（ａ）に示す貝移動通路と回転軸との関係を示す説明正面図。
【図６】図１に示す貝表面清浄機に用いる爪取付盤の正面図。
【図７】図１に示す貝表面清浄機に用いる他の爪取付盤の正面図。
【図８】図１に示す貝表面清浄機に用いる他の爪取付盤の正面図。
【図９】（ａ）は図１に示す貝表面清浄機に用いるスペーサの斜視図。（ｂ）は（ａ）に示すスペーサの使用の様子を示す説明斜視図。（ｃ）は（ａ）に示すスペーサの使用の様子を示す説明正面図。
【図１０】（ａ）は、軸受具とジャッキボルトの設置の様子を示す説明図。（ｂ）は、モータとジャッキボルトの設置の様子を示す説明図。
【図１１】図１に示す貝表面清浄機を示す右側面図。
【図１２】（ａ）は、本発明の貝表面洗浄機の掃除具を回転させる機構の他の例を示す説明斜視図。（ｂ）は、（ａ）に示す機構に用いる伝達ベルトの断面図。
【図１３】本発明の貝表面洗浄機の掃除具を回転させる機構の他の例を示す説明斜視図。
【図１４】本発明の貝表面洗浄機の掃除具を回転させる機構の他の例を示す説明斜視図。
【図１５】本発明の貝表面洗浄機の掃除具を回転させる機構の他の例を示す説明斜視図。
【図１６】（ａ）〜（ｇ）は、各種の回転駆動輪の様子を示す説明図。
【図１７】本発明の貝表面洗浄機の実施形態の他の一例を示す説明図。
【図１８】従来の貝表面清浄機の掃除具の様子を示す斜視図。
【符号の説明】
【００４９】
１  架台
２  支持脚
３  貝移動通路
４  貝移送体
５ａ  掃除具
５ｂ  掃除具
７  棒材
８  開口部
９  爪
１０  送り片
１１  回転走行体
１２  回転軸
２１  回転伝達体
２２  ユニバーサルジョイント
２８  駆動源（モータ）
【図１】
2005318830.tif 000003
【図２】
2005318830.tif 000004
【図３】
2005318830.tif 000005
【図４】
2005318830.tif 000006
【図５】
2005318830.tif 000007
【図６】
2005318830.tif 000008
【図７】
2005318830.tif 000009
【図８】
2005318830.tif 000010
【図９】
2005318830.tif 000011
【図１０】
2005318830.tif 000012
【図１１】
2005318830.tif 000013
【図１２】
2005318830.tif 000014
【図１３】
2005318830.tif 000015
【図１４】
2005318830.tif 000016
【図１５】
2005318830.tif 000017
【図１６】
2005318830.tif 000018
【図１７】
2005318830.tif 000019
【図１８】
2005318830.tif 000020